(57)【特許請求の範囲】
【請求項１】
プレートに横長の巻回部材を横長側を平行にして列状に少なくとも３つ以上配設して、任意に選択した２個の巻回部材を１組として多数のコード余長巻回ブロック部を形成した光接続箱のコード余長収納部であって、前記巻回部材の横長部の両外面を凹弧曲面としたコード巻回軌跡拡径規制部に形成し、また、前記巻回部材の両端に先端を挟んで一対の凸円弧面とした巻回軌跡縮径規制部に形成したことを特徴とする光接続箱のコード余長収納部。
【請求項２】
プレートのコード入出側を除いた該プレートの周縁にコード巻回軌跡拡径規制用の壁板部を立設した請求項１に記載の光接続箱のコード余長収納部。
【発明の詳細な説明】
【０００１】
【発明の属する技術分野】
本発明は、光コードを接続するための光接続箱に使用される光接続箱のコード余長収納部に関するものである。
【０００２】
【従来の技術】
従来の光コードを接続するための光接続箱に使用される光接続箱のコード余長収納部は、図４に示すようにアダプタ１０１の列の両側に入線用と出線用の光コード１０２の余長分を一括して巻回する巻回部材１０３を配設したものであった。
【０００３】
【発明が解決しようとする課題】
ところが、この従来のものは、巻回部材１０３に光コード１０２の余長分を一箇所に一括して巻回するものであるため、巻回径が大きなものとなりそのため光コード１０２の余長分をその分長くとる必要があった。また、アダプタ１０１の位置によっては巻回部材１０３からの光コード１０２をアダプタ１０１に引き込むために光伝達ロスの生じない最小曲げＲを確保するためアダプタ１０１と巻回部材１０３との間隔を離す必要があり、そのため光接続箱の幅サイズを小さくできなかった。さらに、多数本の光コード１０２の余長分を纏めて巻回するもであるため、アダプタ１０１に接続した光コード１０２が巻回部材１０３にどのように巻回されているかを識別できないものであった。
【０００４】
【課題を解決するための手段】
前記のような問題を解決するためになされた光接続箱のコード余長収納部は、プレートに横長の巻回部材を横長側を平行にして列状に少なくとも３つ以上配設して、任意に選択した２個の巻回部材を１組として多数のコード余長巻回ブロック部を形成した光接続箱のコード余長収納部であって、前記巻回部材の横長部の両外面を凹弧曲面としたコード巻回軌跡拡径規制部に形成し、また、前記巻回部材の両端に先端を挟んで一対の凸円弧面とした巻回軌跡縮径規制部に形成したことを特徴とするものを請求項１に記載の発明とし、この発明において、プレートのコード入出側を除いた該プレートの周縁にコード巻回軌跡拡径規制用の壁板部を立設したものを請求項２に記載の発明とする。
【０００５】
【発明の実施の形態】
次に、本発明の好ましい実施の形態を示す。
１はケース本体１１に引出しトレイ１２を引出し自在とした光接続箱であり、図示のものは引出し状態を示す。２は前記引出しトレイ１２の中央に前後に多数列状に配設した光コード接続用のアダプタである。３，３は前記アダプタ２の両側に配設した本発明にか係る入線用と出線用のコード余長収納部であり、各コード余長収納部部３はプレート４に横長の巻回部材５を横長側を平行に列状に6個配設して、任意に選択すなわち隣り合う２個の巻回部材５、５を１組として5組のコード余長巻回ブロック部６を形成している。そして、巻回部材５の横長部５１により幅方向の間隔を、2個の巻回部材５、５の間隔で縦方向の間隔を確保して光コード１０２を円形に巻回するコード余長巻回ブロック部６を巻回部材５の列方向として多数得ることができるものとしている。
【０００６】
なお、図示のものは隣り合う巻回部材５、５を１組としてコード余長巻回ブロック部６を形成し、この１組のコード余長巻回ブロック部６を構成する一方の巻回部材５と隣り合う他の巻回部材５とに他の１組のコード余長巻回ブロック部６を形成させ前記アダプタ２の配設ピッチに合わせて該コード余長巻回ブロック部６を配設したものである。また、隣り合う巻回部材５、５の間隔が狭い場合には一つ置き毎の巻回部材５，５により一組のコード余長巻回ブロック部６を形成してもよい。また、図示のものは巻回部材５をプレート４に6個配設し、5組のコード余長巻回ブロック部６を形成しているが、少なくとも3個の巻回部材５を配設し、２組のコード余長巻回ブロック部６を形成すればよい。
【０００７】
また、巻回部材５の横長部５１の両外面には凹弧曲面としたコード巻回軌跡拡径規制部５ａが形成されていて該巻回部材５に隣接して形成されたコード余長巻回ブロック部６に巻回された光コード１０２の巻回軌跡が広がるの規制している。また、巻回部材５の両端にはコード巻回軌跡縮径規制部５ｂが形成されており、余長巻回ブロック部６に巻回した光コード１０２の巻回軌跡が狭まるのを規制して光伝達ロスが生じない最小曲げＲを確保するものとしている。なお、コード巻回軌跡縮径規制部５ｂは巻回部材５が組み込まれることとなる二組のコード余長巻回ブロック部６，６に対応するように巻回部材５の両端に先端を挟んで一対の凸円弧面５２、５２により形成されている。
【０００８】
さらに、横長の巻回部材５を列状に配設したプレート４にコード入出側すなわちアダプタ２を臨む側を除いた該プレート４の周縁にコード巻回軌跡拡径規制用の壁板部４１が立設されており、前記コード巻回軌跡拡径規制部５ａと同様にコード余長巻回ブロック部６に巻回された光コード１０２の巻回軌跡が広がるの規制している。なお、７は巻回部材及び壁板部４１の上端に張設した庇状の光コード離脱防止用の爪片、８，８は入線側及び出線側に設けた光コード１０２をガイドする部材及びダムホルダーガイド部材、９，９は引出しトレイ１２が収納及び引出し時に撓み伸長する引き込み用コード余長部１０２ａが一定の曲げＲを確保できるように保護するケーブルガイドである。
【０００９】
前記したように本発明のコード余長収納部３は、プレート４に横長の巻回部材５を列状に多数配設して、任意の２個の巻回部材５，５を１組として多数のコード余長巻回ブロック部６を形成したものであるから、入線用の光コード１０２をガイド部材８によりガイドしたうえ余長部分を任意の１組のコード余長巻回ブロック部６に巻回したうえその先端をアダプタ２に接続するものである。
【００１０】
従って、余長部分の巻回大きさは小さくなり余長分が短くてもよく、また、巻回部からアダプタ２への引き込みも隣接するコード余長巻回ブロック部６とアダプタ２の間で行えるので該コード余長巻回ブロック部６とアダプタ２の間の距離を短くても一定の曲げＲを確保できるので光接続箱の幅サイズを小さくできるものである。また、多数のコード余長巻回ブロック部６に巻回した夫々の光コード１０２は隣接するアダプタ２に接続されることとなるので、余長部の光コード１０２とアダプタ２との対応関係が明確であるので保守・点検作業が容易なものとなる。
【００１１】
また、巻回部材５の横長部５１の外面に凹弧曲面としたコード巻回軌跡拡径規制部５ａを形成しておけば、該巻回部材５に隣接して形成されたコード余長巻回ブロック部６に巻回された光コード１０２が広がるの規制して巻回大きさを一定大きさ以下としてアダプタ２側にはみ出ることを防止できるものである。また、巻回部材５の両端にはコード巻回軌跡縮径規制部５ｂを形成しておくことによりコード余長巻回ブロック部６に巻回した光コード１０２が光伝達ロスのない最小曲げＲ以下とならないものとすることができる。
【００１２】
さらに、横長の巻回部材５を列状に配設したプレート４に光コード入出側すなわちアダプタ２を臨む側を除いた該プレート４の周縁にコード巻回軌跡拡径規制用の壁板部４１を立設させておけば、該プレート４の両端に形成されるコード余長巻回ブロック部６に巻回される光コードの端部側の広がりを規制するととともに、各コード余長巻回ブロック部６に巻回された光コード１０２のアダプタ側との対向側が広がるの規制することができるものである。
【００１３】
【発明の効果】
以上説明したように、本発明の光接続箱のコード余長収納部は、プレートに巻回部材を列状に少なくとも３つ以上配設して、任意に選択した２個の巻回部材を１組として多数のコード余長巻回ブロック部を形成したものであるから、余長部分の巻回大きさは小さくなり余長分を短くすることができる。また、巻回部からアダプタへの引き込みも隣接するコード余長巻回ブロック部とアダプタの間で行えるので該コード余長巻回ブロック部とアダプタの間の距離を短くしても一定の曲げＲを確保できるので光接続箱の幅サイズを小さくでき、また、余長部の光コードの識別が容易でアダプタとの対応関係が明確であるので保守・点検作業が容易なものとなる。
よって、本発明は従来の光接続箱のコード余長収納部の問題点を解決したもので、業界にもたらす益大なものである。
【図面の簡単な説明】
【図１】本発明の実施形態を示す平面図である。
【図２】本発明の実施形態の要部を示す平面図である。
【図３】本発明の実施形態の要部を示す斜視図である。
【図４】従来例を示す平面図である。
【符号の説明】
４  プレート
41  コード巻回軌跡拡径規制用の壁板部
５  巻回部材
5a  コード巻回軌跡拡径規制部
5b  コード巻回軌跡縮径規制部
６  コード余長巻回ブロック部
【図１】
0003883113.tif 000002
【図２】
0003883113.tif 000003
【図３】
0003883113.tif 000004
【図４】
0003883113.tif 000005